(57)【要約】【課題】  本発明は、簡単な手段によって、ゲル中に含ませた薬剤が徐々に大気中に放散するようになされた新規な薬剤徐放具を提供することを目的とする。【解決手段】  袋材２と、前記袋材２内に封入されたゲル３と、前記ゲル３に担持された揮発性の薬剤４と、を具備してなる薬剤徐放具１において、前記薬剤４が前記袋材２の縁部を通じて大気中に放散されるように、前記袋材２をガスバリア性シートにて構成し、且つ、前記袋材２の縁部を、針と糸５とを用いた縫い合わせの手段によって閉じる。【選択図】図１
2016136872.tif 000002
【特許請求の範囲】
【請求項１】
袋材と、前記袋材内に封入されたゲルと、前記ゲルに担持された揮発性の薬剤と、を具備してなる薬剤徐放具であって、
前記薬剤が前記袋材の縁部を通じて大気中に放散されるように、
前記袋材が、ガスバリア性シートからなり、
前記袋材の縁部が、針と糸とを用いた縫い合わせの手段によって閉じられてなることを特徴とする薬剤徐放具。
【請求項２】
請求項１に記載の薬剤徐放具において、
前記針の運針によって前記袋材の縁部に形成された針穴の直径が、０．８〜２．０ｍｍとなされた薬剤徐放具。
【請求項３】
請求項１又は２に記載の薬剤徐放具において、
前記袋材の縁部を閉じる前記糸の運針数が、５〜１５針／３０ｍｍとなされた薬剤徐放具。
【請求項４】
請求項１ないし３のいずれか１項に記載の薬剤徐放具において、
前記ガスバリア製シートが、１０ｇ／ｍ２・２４時間以下の透湿度を有する薬剤徐放具。
【請求項５】
請求項１ないし４のいずれか１項に記載の薬剤徐放具において、
前記糸が、綿番手３６〜８０の木綿糸に相当する太さを有する薬剤徐放具。
【請求項６】
請求項１ないし５のいずれか１項に記載の薬剤徐放具において、
前記袋材の内面に不織布又は織布が積層されてなる薬剤徐放具。
【請求項７】
請求項１ないし６のいずれか１項に記載の薬剤徐放具において、
前記薬剤が、飛来害虫を忌避する揮発成分を生じさせる忌避剤、又は、香料である薬剤徐放具。
【発明の詳細な説明】
【技術分野】
【０００１】
本発明は、ゲル中に含ませた薬剤を徐々に大気中に放散するようになされた薬剤徐放具に関する。
【背景技術】
【０００２】
マラリア、黄熱、テング熱、西ナイル熱、フィラリア症等の疾病は、蚊やハエなどの飛来害虫が媒介となって発生することが知られている。この種の疾病を媒介する飛来害虫は、主に年間を通じて温暖な地域において生息していたため、従来、この種の疾患は当該地域にのみ限定的に発生していた。
【０００３】
しかしながら、近年、飛来害虫の北限生息域の上昇が観察されおり、我が国においても、飛来害虫を効率良く駆除する手段が求められてきている。
【０００４】
現在、飛来害虫を駆除するにあたっては、殺虫剤を大気中に噴霧する手段が主に行われている。しかしながら、殺虫剤に含まれる殺虫成分は人体にとっても有害であり、その高濃度使用時における人体への影響が懸念されている。
【０００５】
そのため、飛来害虫を直接的に駆除するのではなく、忌避することによって飛来害虫を生活環境から遠ざける手段が開発されている（例えば、下記特許文献１、２参照）。
【先行技術文献】
【特許文献】
【０００６】
【特許文献１】特開平５‐３３９１０２号公報
【特許文献２】特表２００６‐５０６０６２号公報
【発明の概要】
【発明が解決しようとする課題】
【０００７】
前記特許文献１に開示された「揮発性有効成分を放出する積層体」は、揮発性有効成分を含む膨潤ゲル層の片面に粘着剤層が形成されていることを特徴とするものであり、前記粘着剤層を表皮に貼付した状態で使用に供され、前記膨潤ゲル層中に含まれる前記揮発性有効成分を大気中に放散させることによって飛来害虫を忌避するものである。
【０００８】
しかしながら、前記特許文献１に開示された手段では、前記膨潤ゲル層に含ませた前記揮発性有効成分が、２４時間程度の比較的短時間で半減するため、長期間にわたって忌避効果を維持することは困難であった。
【０００９】
一方、前記特許文献２に開示された「ディスペンサー」は、揮発性物質を担持させた貯蔵部が、第一の制御要素と第二の制御要素からなる二層構造のフィルムからなる袋材に封入されてなるものである。そして、前記特許文献２では、前記第一の制御要素を前記揮発性物質が透過し得る素材とする一方で、前記第二の制御要素を前記揮発性物質が透過できない素材とし、更に、前記第二の制御要素に表裏を貫通する複数の細孔を設けることによって、揮発性物質が揮散する速度を制御している。
【００１０】
しかしながら、前記特許文献２に開示された手段にて、揮発性物質の揮散する速度を制御するにあたっては、前記第一の制御要素の選択、及び前記第二の制御要素に設ける細孔の数や大きさの決定が非常に複雑であり、揮発性物質の透過性を所望の程度に制御することが困難である。
【００１１】
本発明は前記技術的課題に鑑みて開発されたものであり、簡単な手段によって、ゲル中に含ませた薬剤が徐々に大気中に放散するようになされた新規な薬剤徐放具を提供することを目的とする。
【課題を解決するための手段】
【００１２】
前記技術的課題を解決するために、本発明の薬剤徐放具は、袋材と、前記袋材内に封入されたゲルと、前記ゲルに担持された揮発性の薬剤と、を具備してなる薬剤徐放具であって、前記薬剤が前記袋材の縁部を通じて大気中に放散されるように、前記袋材が、ガスバリア性シートからなり、前記袋材の縁部が、針と糸とを用いた縫い合わせの手段によって閉じられてなることを特徴とする（以下、「本発明徐放具」と称する。）。
【００１３】
本発明徐放具においては、前記針の運針によって前記袋材の縁部に形成された針穴の直径が、０．８〜２．０ｍｍとなされたものが好ましい態様となる。
【００１４】
本発明徐放具においては、前記袋材の縁部を閉じる前記糸の運針数が、５〜１５針／３０ｍｍとなされたものが好ましい態様となる。
【００１５】
本発明徐放具においては、前記ガスバリア製シートが、１０ｇ／ｍ２・２４時間以下の透湿度を有するものが好ましい態様となる。
【００１６】
本発明徐放具においては、前記糸が、綿番手３６〜８０の縫い糸に相当する太さを有するものが好ましい態様となる。
【００１７】
本発明徐放具においては、前記袋材の内面に不織布又は織布が積層されてなるものが好ましい態様となる。
【００１８】
本発明徐放具においては、前記薬剤が、飛来害虫を忌避する揮発成分を生じさせる忌避剤、又は香料であるものが好ましい態様となる。
【発明の効果】
【００１９】
本発明によれば、ゲル中に含ませた薬剤を袋材の縁部を通じて徐々に大気中に放散することができる。
【図面の簡単な説明】
【００２０】
【図１】図１（ａ）は、本発明徐放具を、一部の逢着を解いた状態で示す斜視図であり、図１（ｂ）は、前記本発明徐放具のＸ‐Ｘ断面図であり、図１（ｃ）は、逢着部分を拡大して示す断面図である。
【図２】図２は、本発明徐放具の別の形態を、一部破断状態で示す斜視図である。
【図３】図３は、本発明徐放具の更に別の形態を示す断面図である。
【発明を実施するための形態】
【００２１】
以下、本発明を実施するための形態（実施形態）を図面に基づいて説明するが、本発明はこの実施形態に限定されるものではない。
【００２２】
＜本発明徐放具１＞
図１に、本発明徐放具１の一実施形態を示す。前記本発明徐放具１は、袋材２と、前記袋材２内に封入されたゲル３と、前記ゲル３に担持された揮発性の薬剤４と、を具備する。
【００２３】
‐袋材２‐
本実施形態において、前記袋材２は、矩形の基材２１と被覆材２２とを重ね合わせ、周縁の縁部を、針（図視せず）と糸５とを用いた縫い合わせの手段によって閉じたものである。
【００２４】
前記袋材２を構成する前記基材２１及び前記被覆材２２は、いずれもガスバリア性シートである。
【００２５】
本発明において、前記ガスバリア性シートは、透湿度によって管理することが好ましい。前記ガスバリア性シートの好ましい透湿度は、ＪＩＳ  Ｚ０２０８（カップ法；４０℃；９０％ＲＨ）によって測定された値が、１０ｇ／ｍ２・２４時間以下であり、より好ましくは５ｇ／ｍ２・２４時間以下であり、最も好ましくは透湿度がほぼ０ｇ／ｍ２・２４時間である。なお、前記ガスバリア性シートの透湿度の測定は、前記袋材２の内面となる面から外面となる面に向かう方向について行うものとする。
【００２６】
前記ガスバリア性シートの厚さは、特に限定されないが、通常は１００μｍ以下、好ましくは１０〜８０μｍ、更に好ましくは２０〜６０μｍ、特に好ましくは３０〜５０μｍである。
【００２７】
前記ガスバリア性シートを構成する素材としては、例えば、ポリ塩化ビニリデン系樹脂類、線状低密度ポリエチレン、ポリエステル類、ポリアミド類等を挙げることができる。なお、ポリ塩化ビニリデン系樹脂類の概念には、塩化ビニリデン単独重合体のみならず、塩化ビニリデンと他の単量体との共重合体も包含され、加工の容易性から、共重合体が好適に使用される。
【００２８】
又、前記ガスバリア性シートを構成する素材中には、水蒸気バリア性付与剤が添加されていても良い。前記水蒸気バリア性付与剤としては、例えば、脂肪酸アミド、ビス脂肪酸アミド、パラフィンロウ、カルナバロウ、モンタンロウ、ポリエチレン系ロウ、石油樹脂等を挙げることができる。
【００２９】
更に、前記ガスバリア性シートを構成する素材には、上記の水蒸気バリア性付与剤のみならず、各種添加剤が含有されていてもよい。各種添加剤の例としては、可塑剤、熱安定剤等の安定剤、抗酸化剤、滑剤、分散助剤、紫外線吸収剤、界面活性剤等が挙げられる。
【００３０】
そして、前記ガスバリア性シートは、通常の方法で製造することができる。例えば、ポリ塩化ビニリデン系樹脂や線状低密度ポリエチレンを主たる構成ポリマーとするガスバリア性シートの製造は、ポリマーと各種添加剤とを含有するコンパウンドを用い、溶融押出し成形と一軸又は二軸延伸とを行うことにより実行される。
【００３１】
又、前記ガスバリア性シートは、単層のものに限定されず、異なる材質の２層以上のポリマーシートが融着又は接着されてなる複層構造のものであってもよい。このような複層構造のガスバリア性シートを構成する各層の種類は、特に限定されない。例として、複数の層の中の少なくとも一層が、低い透湿度を示すポリ塩化ビニリデン系樹脂又は線状低密度ポリエチレンを主成分とするものであるものが挙げられる。この場合、他の層の主成分であるポリマーの例としては、強度に優れるポリエチレンテレフタレート（ＰＥＴ）、各種ポリエチレン、ポリプロピレン、ポリアミド等が挙げられる。その他、ＰＥＴ以外のポリエステル類、ポリカーボネート、ポリイミド、ポリアセタール、ポリビニルアルコール、ポリスチレン等のポリマーも、ポリマーシートの材料として使用することが出来る。
【００３２】
なお、ポリ塩化ビニリデン系のポリマーシートは、他の材質のポリマーシートとの接着性が乏しい傾向にあるので、他の材質のポリマーシートと積層させて複層構造とする場合には、ポリ塩化ビニリデン系ポリマーシートの表面であって、他のポリマーシートと対向する面を、コロナ処理することが好ましい。
【００３３】
更に、前記ガスバリア性シートは、ポリマーシート以外のものを含んでいてもよい。一例を挙げると、ポリマーシートと、金属箔とが積層されてなるものがある。このような金属箔を含むガスバリア性シートは、透湿度がほぼ０ｇ／ｍ２・２４時間となる。また、金属箔を構成する金属の種類としては、アルミニウム、金、銀、銅、鉄、ニッケル、パラジウム、プラチナ等及びこれらの合金が挙げられる。なお、金属箔の厚さは、特に限定されないが、１０ｎｍ〜５００μｍ程度が好ましい。金属箔が厚くなると柔軟性が低下することを考慮し、その厚さを選択する。
【００３４】
この種のポリマーシート以外のものを含んでいるガスバリア性シートの他の例としては、例えば、ポリマーシートの一方の面に、金属系又は無機物の蒸着層が設けられてなる蒸着ポリマーシートが挙げられる。もちろん、両面に蒸着層があってもよい。ここで、蒸着される金属系物質の例としては、金、銀、銅、パラジウム、プラチナ、アルミニウム、ニッケル、鉄、スズやこれらの合金（例えば銀−パラジウム合金）、これらの酸化物（例えば酸化アルミニウム、酸化スズ、酸化インジウムスズ、酸化アンチモンスズ）が挙げられる。また、蒸着される無機物としては、セラミック、シリカ等が挙げられる。
【００３５】
蒸着層の厚さは、ガスバリア性シートが所望の透湿度を示す限り特に限定されないが、１〜１００ｎｍ程度が好ましい。又、蒸着層の作製方法は限定されず、例えば、真空蒸着法、スパッタリング法、イオンプレーティング法、化学蒸着法、プラズマ化学蒸着法等により実行される。
【００３６】
‐ゲル３‐
前記ゲル３は、分散質としての吸水性ポリマーと分散媒としての水を必須構成成分とし、ゼリー状ないしゲル状に形成されたいわゆるヒドロゲル（含水ゲル）である。
【００３７】
前記吸水性ポリマーとしては、主として水を円滑、且つ大量に吸水してゲル化する高分子材料であれば特に制限されるものではなく、既知の親水性高分子材料を好適に使用することができる。前記吸水性ポリマーの具体例としては、ポリビニルアルコール、ポリビニルピロリドン、ポリアクリル酸及びその塩、無水マレイン酸共重合物などの合成高分子系親水性ポリマー、デキストラン、プルラン、ゼラチンなどの如き天然系親水性ポリマー、メチルセルロース、エチルセルロース、カルボキシメチルセルロースの如き半合成系化合物等が挙げられる。本発明においては、これらの吸水性ポリマーから選ばれた１種ないしは２種以上を適宜選択して用いることができる。
【００３８】
又、本発明においては、前記ゲル３の製造時、又は、製造後、必要に応じて、前記ゲル３中に、充填剤や界面活性剤などの添加剤を配合しても良い。
【００３９】
前記充填剤としては、吸水性ポリマーを架橋して含水ゲルの粘度を調節したり、保型性の向上を図ったりするための架橋剤や増量剤等、各種機能を発現する役割を果たすものであれば特に限定されるものではない。前記充填剤の具体例としては、カオリン、ベントナイト、パーミキュライト、シリカ粉、クレー、パーライト、ゼオライト、亜鉛華、酸化チタン、タルク、塩化アルミニウム、硫酸アルミニウム、硝酸アルミニウム、水酸化アルミニウム、カリミョーバン、球状セルロース等の有機球状体、ポリブテン、ポリイソブチレン、アセトアルデヒド、グルタルアルデヒド、グリオキザール、ジアルデヒドデンプン、ジメチルケトン等の架橋剤や増量剤などが挙げられる。又、これらの充填剤は、１種ないし複数種を混合して用いることができる。
【００４０】
一方、前記界面活性剤は、主として材料の分散性を向上するために添加される。この界面活性剤の具体例としては、例えば、高級脂肪酸せっけん、アルキル硫酸エステル塩、ポリオキシエチレンアルキルエーテル硫酸塩、アシルＮ−メチルタウリン塩、アルキルエーテルリン酸エステル塩又はＮ−アシルアミノ酸塩等のアニオン界面活性剤、塩化アルキルトリメチルアンモニウム、塩化ジアルキルジメチルアンモニウム及び塩化ベンザルコニウム等のカチオン界面活性剤、アルキルジメチルアミノ酢酸ベタイン、アルキルアミドジメチルアミノ酢酸ベタイン及び２−アルキル−Ｎ−ヒドロキシイミダゾリミウムベタイン等の両性界面活性剤、ポリオキシエチレン型及び多価アルコールエステル型及びエチレンオキシド・プロピレンオキシドブロック共重合体等の非イオン性界面活性剤、或いはモノラウリン酸ソルビタン等の高分子界面活性剤、天然界面活性剤等のその他の界面活性剤を挙げることができる。
【００４１】
‐薬剤４‐
前記薬剤４は、揮発性を有する物質であり、揮発成分に応じた機能（例えば、消毒、芳香、忌避、誘引等）を発現するものであれば特に限定するものではない。特に、本発明においては、前記薬剤４として、飛来害虫を忌避する揮発成分を生じさせる忌避剤、又は、香料を用いることが好ましい。
【００４２】
ここで、飛来害虫を忌避する揮発成分を生じさせる忌避剤の具体例としては、Ｎ，Ｎ‐ジエチル‐ｍ‐トルアミド、ジメチルフタレート、ジブチルフタレート、ジクロルベンゼン、ジフェニル類、ペンタクロルフェノール、イソバレルアルデヒド、サリチルアルデヒド、ジ‐ｎ‐プロピルイソシンコメロネート、２‐エチル‐１，３‐ヘキサンジオール、リナロルオキシド、フェニル酢酸誘導体、樟脳白油、Ｎ−オクチルビシクロヘプロテンジカルボキシイミド、ブタジエン‐フルフラール共重合体などが挙げられる。
【００４３】
一方、飛来害虫を忌避する揮発成分を生じさせる香料の具体例としては、α‐アミルシンナムアルデヒド、アラントラニル酸メチル、イソオイゲノール、γ‐ウンデカラクトン、エチルバニリン、オイゲノール、クマリン、桂皮アルコール、桂皮アルデヒド、桂皮酸メチル、桂皮酸エチル、ゲラニオール、酢酸ゲラニル、酢酸シトロネリル、酢酸シンナミル、酢酸テルピニル、酢酸フェニルエチル、酢酸ブチル、酢酸イソアミル、酢酸１ーメンチル、酢酸リナリル、サリチル酸メチル、シトロネロール、シトロネラール、デシルアルデヒド、γ‐ノナラクトン、バニリン、パラメチルアセトフェノン、ヒドロキシプロピルセルロース、ピペロナール、フェニルエチルアルコール、フェニル酢酸エチル、ベンジルアルコール、メチフェニルポリシロキサン、ｌ‐メントール、ヨノン、リナノール、シトラール、ボルネオール、テレピネロール、ネロリン、ジフェニルオキシド、アシニックアルデヒド、ｄｌ‐カンフル等の化学物質の他、テレビン油、シトロネラ油、レモングラス油、レモンユーカリ油、ニクズク油、杉葉油、じゃ香、竜せん香、ラベンダー油、チモール等の抽出油等を挙げることができる。
【００４４】
なお、本実施形態においては、説明の便宜上、前記薬剤４を固体粒子状とし、前記ゲル３に対し、分散させた状態にて担持させているが、前記薬剤４の剤形は特に限定されるものではなく、固体状であっても液状であっても良い。又、前記薬剤４は、例えば、水溶解性のカプセルに封入した状態としたうえで、前記ゲル３に担持させても良い。
【００４５】
＜本発明徐放具１の製造＞
本実施形態に係る本発明徐放具１は、前記基材２１の中央部に、前記薬剤４を担持させた前記ゲル３を塗膏し、前記被覆材２２を前記基材２１の塗膏面側から重ね合わせた上で、周縁の縁部を、針（図視せず）と糸５とを用いた縫いあわせの手段によって閉じたものである。なお、本実施形態において、係る縫い合せは、いわゆる「ミシン縫い」によって行っているが、係る縫い合わせは、いわゆる「手縫い」によって行っても良い。
【００４６】
図１（ａ）、図１（ｂ）に示すように、このようにして構築された本発明徐放具１は、前記針の運針によって前記袋材２の縁部に針穴６が形成される。又、縫いあわせの手段によって閉じられた前記袋材２の縁部には、運針方向に沿って隣接する針穴６間において、微細な間隙が生じる。
【００４７】
そして、前記袋材２を構成する前記基材２１と前記被覆材２２は、いずれもガスバリア性シートであるため、前記ゲル３に担持されている前記薬剤４から揮発する揮発成分は、縫いあわせの手段によって閉じられた前記袋材２の縁部を通じて大気中に放散する。
【００４８】
この際、前記揮発成分を通過させる通気孔として機能する前記針穴６、及び、隣接する前記針穴６間の間隙は微細であるため、大気中への前記揮発成分の放散は、長期間にわたって持続する。又、前記袋材２中に封入された前記ゲル３の乾燥も長期間にわたって抑制される。
【００４９】
ここで、前記揮発成分の単位時間当たりの放散量は、主として、前記針の運針によって前記袋材２の縁部に形成された前記針穴６の直径、及び、前記袋材２の縁部を閉じる前記糸の運針数によって制御することができる。
【００５０】
本発明においては、前記針の運針によって前記袋材２の縁部に形成された針穴６の直径につき、０．８〜２．０ｍｍ（より好ましくは、１．０〜１．４ｍｍ、更に好ましくは、１．０５〜１．２ｍｍ）とすることが好ましい。なお、前記針穴６の直径は、縫い合わせの際に用いる針の太さによって決定することができる。具体的には、縫い合わせの際に用いる針につき、国内番手１１〜２５（より好ましくは、１５〜２２、更に好ましくは、１６〜２０）のものを用いれば良い。
【００５１】
一方、前記袋材２の縁部を閉じる前記糸５の運針数については、５〜１５針／３０ｍｍ（より好ましくは、７〜１３針／３０ｍｍ、更に好ましくは、９〜１１針／３０ｍｍ）とすることが好ましい。
【００５２】
又、前記袋材２の縁部を閉じるために用いられる糸５は、前記針穴６の開口面積を削減するため、前記糸５の太さも前記揮発成分の単位時間当たりの放散量に少なからず影響を与える。本発明においては、前記糸５として、綿番手３６〜８０（より好ましくは、４０〜６０）の縫い糸に相当する太さを有するものを用いることが好ましい。
【００５３】
なお、本実施形態においては、前記袋材２の周縁に存するすべての縁部を縫い合わせの手段によって閉じているが、本発明において「縫い合せの手段によって縁部を閉じる」とは、図２に示すように、前記袋材２の一部の縁部を縫い合わせによって閉じ、他の縁部（２３）については、ヒートシール等の手段によって密封状態に閉じる場合も含まれる。
【００５４】
更に、本実施形態においては、単層のガスバリア性シートを用いて前記袋材２を構成しているが、本発明においては、図３に示すように、前記袋材２の内面に不織布（又は織布）７を積層することが好ましい態様となる。
【００５５】
前記袋材２の内面に不織布（又は織布）７を積層すれば、前記袋材２中に内在させた前記ゲル３が、不織布（又は織布）７の繊維網に食い込んだ状態で保持されるため、前記ゲル３の移動や偏りを好適に防止することができる。
【００５６】
［実施例１〜６］
‐袋材‐
袋材を構成するガスバリア性シートとして、矩形（２００ｍｍ×１２０ｍｍ）の線状低密度ポリエチレンシート（厚さ：４０μｍ、透湿度：６．８ｇ／ｍ２・２４時間）を二枚用いた。
【００５７】
‐ゲル（薬剤を担持させたもの）‐
薬剤を担持させたゲルとして、下記表１に示す組成のものを用いた。
【００５８】
【表１】
2016136872.tif 000003
【００５９】
‐本発明徐放具の製造‐
一のガスバリア性シートの中央部に、前記ゲルを５ｋｇ／ｍ２塗膏し、他のガスバリア性シートを塗膏面側から重ね合わせた上で、周縁の縁部を、針と糸とを用いた縫いあわせの手段（ミシン縫い）にて閉じることによって、実施例１〜６に係る本発明徐放具を得た。なお、縁部の縫い合わせの条件は、下記表２に示す通りとした。
【００６０】
【表２】
2016136872.tif 000004
【００６１】
［比較例１］
前記ガスバリア性シートの中央部に、前記薬剤を担持させた前記ゲルを５ｋｇ／ｍ２塗膏することによって、比較例１に係るゲルシートを得た。即ち、本比較例に係るゲルシートは、片側面が大気開放された状態となされている。
【００６２】
［比較例２］
一のガスバリア性シートの中央部に、前記ゲルを５ｋｇ／ｍ２塗膏し、他のガスバリア性シートを塗膏面側から重ね合わせた上で、周縁の縁部をヒートシールにて密封状態に閉じることによって、比較例２に係る袋材密封入ゲルを得た。
【００６３】
‐飛来害虫忌避試験‐
前記実施例１〜６に係る本発明徐放具を飛来害虫忌避試験に供した。この飛来害虫忌避試験は、下記条件に従って行ったものである。
【００６４】
＜条件＞
一辺３００ｍｍの立方体形状の透明アクリル製容器の底部に本発明徐放具を載置し、更に、容器内に蚊（ヒトスジシマカの雌成虫、未吸血）を３０匹入れることによって試験室（２９．４℃、６５％ＲＨ）を作製する。
【００６５】
この試験室内において、金網製の袋に入れられたマウスを本発明徐放具上に置き、試験開始後１０分間、３０秒間隔で、マウスに降着した蚊の数をカウントする。
【００６６】
更に、一週間経過後に、同様の条件で再度飛来害虫忌避試験を行い、試験開始後１０分間、マウスに降着した蚊の総数をカウントする。
【００６７】
なお、前記比較例１に係るゲルシート、及び前記比較例２に係る袋材密封入ゲルについても、同様の条件下で飛来害虫忌避試験を行った。その結果を下記表３に示す。
【００６８】
【表３】
2016136872.tif 000005
【００６９】
表３に示す結果より、本発明徐放具には、効果的な飛来害虫忌避効果があり、その効果は、一週間経過後も持続していることが認められた。
【００７０】
一方、比較例１に係るゲルシートは、試験開始後１０分間の間は、本発明徐放具と遜色の無い飛来害虫忌避効果を示したが、一週間後の再試験において、その効果をほぼ喪失していることが認められた。
【００７１】
なお、比較例２に係る袋材入りゲルは、ガスバリア性シートに遮断されて、袋材外に揮発成分が放散されないため、飛来害虫忌避効果が発現していないことが認められた。
【００７２】
ところで、本発明は、その精神又は主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。更に、特許請求の範囲の均等範囲に属する変形や変更は、全て本発明の範囲内のものである。
【産業上の利用可能性】
【００７３】
本発明徐放具は、ゲル中に含ませた薬剤を徐々に大気中に放散するものであり、薬剤から揮発する揮発成分の機能に応じて、様々な用途に利用することができる。
【符号の説明】
【００７４】
１  薬剤徐放具（本発明徐放具）
２  袋材
３  ゲル
４  薬剤
５  糸
６  針穴
７  不織布（織布）
【図１】
2016136872.tif 000006
【図２】
2016136872.tif 000007
【図３】
2016136872.tif 000008